(57)【特許請求の範囲】
【請求項１】
一端を閉じ円筒状の内側を形成する水素極と、この水素極の外側に設けられた円筒状の酸素極と、この水素極と酸素極との間に設けられ電子絶縁性および酸素イオン導電性を持つ電解質層と、を有する少なくとも１個の円筒型水蒸気電解セルと、
この円筒型水蒸気電解セルの水素極に水蒸気を供給する水蒸気供給室と、
この水蒸気供給室の水蒸気を前記円筒型水蒸気電解セルの内側に供給する水蒸気供給管と、
前記水蒸気供給室に隣接し前記水素極で生成された水素を系外に取り出すための生成水素排出室と、
前記生成水素排出室に隣接し前記酸素極側で生成された酸素を系外に取り出すための酸素生成室と、
前記円筒型水蒸気電解セルの内側および外側に電解電流を供給しかつ固定する弾性給電端子と、
を備え、
前記水蒸気供給室及び酸素生成室の壁面に導電性を持たせると共に、前記水蒸気供給室と酸素生成室との間に絶縁層を設けて、前記水蒸気供給室及び酸素生成室の壁面を介して前記円筒型水蒸気電解セルの水素極及び酸素極に電解電流を供給する電解電流供給手段を具備し、
かつ生成水素排出室と酸素生成室とに隔離する隔壁と前記円筒型水蒸気電解セルとは、前記円筒型水蒸気電解セルと同等の熱膨張率を有する支持管を介して構造的および電気的に間接的に接合すること、を特徴とする高温水蒸気電解装置。
【請求項２】
前記絶縁層は、前記酸素極側の弾性給電端子が接続されている酸素生成室の壁面及び前記水素極側の弾性給電端子が接続されている水蒸気供給室の壁面を電気的に絶縁する絶縁層であること、を特徴とする請求項１記載の高温水蒸気電解装置。
【請求項３】
前記弾性給電端子は、前記円筒型水蒸気電解セルの内側と前記水蒸気供給管の外側とを接触させる弾性および電子導電性を有する弾性給電端子であり、前記水蒸気供給管を前記水蒸気供給室と生成水素排出室とに隔離する隔壁へ接続する部分に設けられた弾性構造体を具備すること、を特徴とする請求項１又は２記載の高温水蒸気電解装置。
【請求項４】
前記弾性給電端子は、前記酸素生成室の中に設けられ前記円筒型水蒸気電解セルの外側の酸素極に接触する弾性および電子導電性を有する弾性給電端子であり、前記酸素生成室の壁面に設置されこの給電端子を介して前記円筒型水蒸気電解セルを支えると共に導電性を有するガイド板を具備すること、を特徴とする請求項１又は２記載の高温水蒸気電解装置。
【請求項５】
一端を閉じ円筒状の内側を形成する酸素極と、この酸素極の外側に設けられた円筒状の水素極と、この酸素極と水素極との間に設けられ電子絶縁性および酸素イオン導電性を持つ電解質層と、を有する少なくとも１個の円筒型水蒸気電解セルと、
この円筒型水蒸気電解セルの酸素極雰囲気を調整する酸素極雰囲気供給室と、
この酸素極雰囲気供給室の酸素極雰囲気を前記円筒型水蒸気電解セルの内側に供給する酸素極雰囲気供給管と、
前記酸素極雰囲気供給室に隣接し前記酸素極で生成された酸素を系外に取り出すための生成酸素排出室と、
前記生成酸素排出室に隣接し前記水素極側で生成された水素を系外に取り出すための水素生成室と、
前記円筒型水蒸気電解セルの内側および外側に電解電流を供給しかつ固定する弾性給電端子と、
を備え、
前記酸素雰囲気供給室及び水素生成室の壁面に導電性を持たせると共に、前記酸素雰囲気供給室と水素生成室との間に絶縁層を設けて、前記酸素雰囲気供給室及び水素生成室の壁面を介して前記円筒型水蒸気電解セルの酸素極及び水素極に電解電流を供給する電解電流供給手段を具備し、
かつ生成酸素排出室と水素生成室とに隔離する隔壁と前記円筒型水蒸気電解セルとは、前記円筒型水蒸気電解セルと同等の熱膨張率を有する支持管を介して構造的および電気的に間接的に接合すること、を特徴とする高温水蒸気電解装置。
【請求項６】
前記絶縁層は、前記水素極側の弾性給電端子が接続されている水素生成室の壁面と酸素極側の弾性給電端子が接続されている生成酸素排出室の壁面を電気的に絶縁する絶縁層であること、を特徴とする請求項５記載の高温水蒸気電解装置。
【請求項７】
前記弾性給電端子は、前記円筒型水蒸気電解セルの内側と前記酸素極雰囲気供給管の外側とを接触させる弾性および電子導電性を有する弾性給電端子であり、前記酸素極雰囲気供給管を前記酸素極雰囲気供給室と生成酸素排出室とに隔離する隔壁へ接続する部分に設けられた弾性構造体を具備すること、を特徴とする請求項５又は６記載の高温水蒸気電解装置。
【請求項８】
前記弾性給電端子は、前記水素生成室の中に設けられ前記円筒型水蒸気電解セルの外側の水素極に接触する弾性および電子導電性を有する弾性給電端子であり、前記水素生成室の壁面に設置されこの給電端子を介して前記円筒型水蒸気電解セルを支えると共に導電性を有するガイド板を具備すること、を特徴とする請求項５又は６記載の高温水蒸気電解装置。
【発明の詳細な説明】
【技術分野】
【０００１】
本発明は、円筒型水蒸気電解セルを用いた高温水蒸気電解装置及びその電解方法に関する。
【背景技術】
【０００２】
この種の高温水蒸気電解法として、約６００〜９００℃の作動温度において水蒸気を電気分解し水素と酸素とが得られる技術が知られている（例えば、特許文献１参照）。その動作原理は固体電解質燃料電池（ＳＯＦＣ：Ｓｏｌｉｄ  Ｏｘｉｄｅ  Ｆｕｅｌ  Ｃｅｌｌ）の逆反応を利用するものである。
【０００３】
この高温水蒸気電解を行うには、一般には、固体酸化物電解質材料を挟んで、水素極と酸素極とが設けられている電気化学セルが使用される。この電気化学セルの電解によって得られる水素と酸素とを隔てる構造が必要となる。通常、水素極側雰囲気は、燃料となる水蒸気と水素が主成分となり、一方、酸素極側雰囲気は、供給ガスを空気としたときは、窒素と酸素が主な成分となり、供給ガスを酸素としたときは、酸素が主な成分となる。このように、両極へ供給するガスの種類が全く異なり、それぞれの電極に対して、ガスの供給機構が必要となり、この構成が複雑となる。
【０００４】
また、電気化学セルの構造は、平板型や円筒型等がある。この電気化学セルの水素極側雰囲気と酸素極側雰囲気は電気化学セルの構成部位である固体酸化物電解質の緻密構造とセル端部のガスシールにより分け隔てられている。このように隔離することにより、水素極側雰囲気及び酸素極側雰囲気の相互への雰囲気ガスのリークを最小限になるように構成されている。電気化学セル単体で使用する場合であれば、セル端部のガスシールは比較的容易である。しかし、これらを積層する等して集合体として使用するときは、セル端部のガスシール信頼性は低下すると考えられる。
【０００５】
この高温水蒸気電解法を実用化するに際しては、上記の水素と酸素とを隔てる部分のガスシール及び電解セルの電極に酸化／還元雰囲気において電解電流を均一かつ長期間にわたって安定に供給する構造等に注力されている。
【０００６】
この従来の高温水蒸気電解装置について、図３、図４を用いて説明する。図３は、従来の高温水蒸気電解装置の概略構成を示す縦断面図であり、図４は、図３の電流リード部の概略構造を示す縦断面図である。
【０００７】
図３において、水蒸気電解装置は、円筒型の電解セル１０１、この電解セル１０１を収納したモジュールハウジング１１０とから構成される。このモジュールハウジング１１０は、水蒸気を供給する水蒸気供給室１０２、生成された水素を排出する生成水素排出室１０３及び酸素が生成される酸素生成室１０５に区切られている。この水蒸気供給室１０２からの水蒸気は、水蒸気注入管１０４を経由して電解セル１０１の内部に供給される。
【０００８】
図４に示すように、円筒型の電解セル１０１の片端には電流リード用金属キャップ１０６が取り付けられ、他端にはシールキャップ１０７が取り付けられ閉構造をなしている。この電解セル１０１での燃料の供給・排出を一方からのみで可能としている。また、管板１１１とのテーパ型のシール部１０８において電解セル１０１を支持することにより、電解セル１０１の着脱を可能とし、しかもガスシールできる構造としている。
【０００９】
電流リードについて説明する。水素極側のリード部は、テーパ型シーリング１０８を経由して取り出される。酸素極側のリード部は、電解セル１０１の下端のセルリード部１１２を介してシールキャップ１０７を経由して電解セル１０１の内部に導入され、還元雰囲気を通って電流リード用金属キャップ１０６から取り出される。
【特許文献１】特許第２９３０３２６号公報
【発明の開示】
【発明が解決しようとする課題】
【００１０】
上述した従来の高温水蒸気電解装置は、高温の水蒸気を電気分解し水素ガスと酸素ガスとを得るもので、その動作原理は固体電解質燃料電池の逆反応を利用するものである。
【００１１】
しかし、水素極側雰囲気と酸素極側雰囲気とのガスシール部は電解セル１０１の上下の２箇所において必要となり、かつ、このガスシール部は、いずれの場合でもセルのリード部を含んだシール構造となっているため、確実で信頼性のあるシールの実現は困難である、という課題があった。
【００１２】
また、高温かつ酸化／還元雰囲気下で電解セルの電極に電解電流を均一かつ長期間にわたって安定に供給することが困難である、という課題があった。
【００１３】
さらに、組立の際の機械的衝撃や高温における構成部材の熱変形により、円筒型水蒸気電解セルが相互に接触したり周辺部材と接触したりすることにより、円筒型水蒸気電解セルが破損する恐れがある、という課題があった。
【００１４】
本発明は上記課題を解決するためになされたもので、簡易な構造で水素と酸素とのガスリークを防止し、セル破損を防ぎつつ高温かつ酸化／還元雰囲気下で長期間にわたって安定的に水蒸気電解反応を行う高温水蒸気電解装置及びその電解方法を提供することを目的とする。
【課題を解決するための手段】
【００１５】
上記目的を達成するため、本発明の高温水蒸気電解装置においては、一端を閉じ円筒状の内側を形成する水素極と、この水素極の外側に設けられた円筒状の酸素極と、この水素極と酸素極との間に設けられ電子絶縁性および酸素イオン導電性を持つ電解質層と、を有する少なくとも１個の円筒型水蒸気電解セルと、この円筒型水蒸気電解セルの水素極に水蒸気を供給する水蒸気供給室と、この水蒸気供給室の水蒸気を前記円筒型水蒸気電解セルの内側に供給する水蒸気供給管と、前記水蒸気供給室に隣接し前記水素極で生成された水素を系外に取り出すための生成水素排出室と、前記生成水素排出室に隣接し前記酸素極側で生成された酸素を系外に取り出すための酸素生成室と、前記円筒型水蒸気電解セルの内側および外側に電解電流を供給しかつ固定する弾性給電端子と、を備え、前記水蒸気供給室及び酸素生成室の壁面に導電性を持たせると共に、前記水蒸気供給室と酸素生成室との間に絶縁層を設けて、前記水蒸気供給室及び酸素生成室の壁面を介して前記円筒型水蒸気電解セルの水素極及び酸素極に電解電流を供給する電解電流供給手段を具備し、かつ生成水素排出室と酸素生成室とに隔離する隔壁と前記円筒型水蒸気電解セルとは、前記円筒型水蒸気電解セルと同等の熱膨張率を有する支持管を介して構造的および電気的に間接的に接合すること、を特徴とするものである。
【００１６】
また、上記目的を達成するため、本発明の高温水蒸気電解装置においては、一端を閉じ円筒状の内側を形成する酸素極と、この酸素極の外側に設けられた円筒状の水素極と、この酸素極と水素極との間に設けられ電子絶縁性および酸素イオン導電性を持つ電解質層と、を有する少なくとも１個の円筒型水蒸気電解セルと、この円筒型水蒸気電解セルの酸素極雰囲気を調整する酸素極雰囲気供給室と、この酸素極雰囲気供給室の酸素極雰囲気を前記円筒型水蒸気電解セルの内側に供給する酸素極雰囲気供給管と、前記酸素極雰囲気供給室に隣接し前記酸素極で生成された酸素を系外に取り出すための生成酸素排出室と、前記生成酸素排出室に隣接し前記水素極側で生成された水素を系外に取り出すための水素生成室と、前記円筒型水蒸気電解セルの内側および外側に電解電流を供給しかつ固定する弾性給電端子と、を備え、前記酸素雰囲気供給室及び水素生成室の壁面に導電性を持たせると共に、前記酸素雰囲気供給室と水素生成室との間に絶縁層を設けて、前記酸素雰囲気供給室及び水素生成室の壁面を介して前記円筒型水蒸気電解セルの酸素極及び水素極に電解電流を供給する電解電流供給手段を具備し、かつ生成酸素排出室と水素生成室とに隔離する隔壁と前記円筒型水蒸気電解セルとは、前記円筒型水蒸気電解セルと同等の熱膨張率を有する支持管を介して構造的および電気的に間接的に接合すること、を特徴とするものである。
【発明の効果】
【００１８】
本発明の高温水蒸気電解装置及びその電解方法によれば、円筒型水蒸気電解セルの内側の極には容器壁面からシール機能を維持した状態で、また外側の極には絶縁した別の容器壁面から給電端子を介して電解電流を流すことにより、簡易な構造で水素と酸素とのガスリークを防止し、しかも高温かつ酸化／還元雰囲気の下でセル電極に均一かつ長期間にわたって安定的に電解電流を供給することができる。
【発明を実施するための最良の形態】
【００１９】
以下、本発明に係る高温水蒸気電解装置及びその電解方法の実施の形態について、図面を参照して説明する。ここで、同一又は類似の部分には共通の符号を付すことにより、重複説明を省略する。
【００２０】
図１は、本発明の第１の実施の形態の高温水蒸気電解装置の概略構成を示す縦断面図である。
【００２１】
本図に示すように、水蒸気電解装置は、少なくとも１個の円筒型水蒸気電解セル１と、この円筒型水蒸気電解セル１を格納する容器４０とを有する。
【００２２】
この円筒型水蒸気電解セル１は、一端を閉じ、他端を開放した円筒型セルより構成される。このセルの内側は、水素極２１より形成される。このセルの外側は酸素極３１より形成される。この水素極２１と酸素極３１との間には、電子絶縁性および酸素イオン導電性を持つ電解質層４５が介在している。
【００２３】
一方、上記容器４０の下部には、円筒型水蒸気電解セル１の水素極２１に水蒸気４１を供給する水蒸気供給室２が設けられている。この水蒸気供給室２の水蒸気４１は、水蒸気供給管３を介して円筒型水蒸気電解セル１に導入される。上記容器４０の中間部には、上記水蒸気供給室２に隣接して、この水素極２１おいて生成された水素４２を系外に取り出すための生成水素排出室４が設けられている。また、上記容器４０の上部には、上記円筒型水蒸気電解セル１の酸素極３１側の酸素極雰囲気４７を調整しながら導入して生成された酸素４３を取り出すための酸素生成室５が備えられている。上記生成水素排出室４と酸素生成室５との間には隔壁６が設けられている。
【００２４】
この隔壁６と上記円筒型水蒸気電解セル１ａとは、本図の左側に示すように、構造的および電気的に直接的に接合してもよい。また、本図の右側に示すように、円筒型水蒸気電解セル１ｂと同等の熱膨張率を有する支持管７を介して構造的および電気的に間接的に接合してもよい。ただし、いずれの場合も接合部においてもセル内側とセル外側とのガスが相互に漏洩しないこと、円筒型水蒸気電解セル１の酸素極３１と隔壁６とが電気的に絶縁されていること、また支持管７を用いるときは、支持管７の内側と外側とは絶縁されていることが必要である。
【００２５】
また、酸素生成室５の少なくとも一部の壁面を、生成水素排出室４と酸素生成室との５の隔壁６から電気的に絶縁するために、絶縁層８が設けられている。この絶縁層８を設けることにより、簡易な反応容器構造により、円筒型水蒸気電解セル１の両極に電解電流を流すことができる。
【００２６】
また、円筒型水蒸気電解セル１の内側の水素極２１は、弾性給電端子２２を介して、円筒型水蒸気電解セル１の内部に差し込まれた水蒸気供給管３と接触している。また、円筒型水蒸気電解セル１の外側の酸素極３１は、弾性給電端子３２を介して、ガイド板１０と接触している。この弾性給電端子２２や弾性給電端子３２は、例えば、バネ状に加工した白金、銀又はニッケル等が用いられる。またバネ状構造の他に、メッシュやフェルト状に加工した上述の材料を用いてもよい。
【００２７】
また、弾性給電端子２２は、円筒型水蒸気電解セル１の内側の水蒸気ガスの流れや温度変化に伴う円筒型水蒸気電解セル１と水蒸気供給管３との相対的な位置変化を妨げないように、円筒型水蒸気電解セルの中心から放射状に隙間を設けてもよい。
【００２８】
また、水蒸気導入管３を導電性材料とすることにより、円筒型水蒸気電解セル１の水素極２１には、隔壁６と水蒸気供給管３との２つの電流供給経路により電気的接触が確保されると共に、円筒型水蒸気電解セル１の固定が先端部と根元部の２点で行われるため、構造的に安定性を向上させることができる。
【００２９】
また、上記水蒸気供給室２と生成水素排出室４との隔壁４４へ接続する水蒸気供給管３の一部分を弾性を有する弾性構造体９に置換することにより、組立時及び高温における素材変形等による円筒型水蒸気電解セル１の損傷を効果的に防止することができる。この弾性構造体９として、ベローズ加工した金属管やらせん状に曲げ加工した金属管等で形成することができる。
【００３０】
さらに、上記絶縁層８で隔壁６と絶縁した酸素生成室５の壁面に設けられたガイド板１０により、この円筒型水蒸気電解セル１の側面を支持することができる。このガイド板１０を設けることにより、上記円筒型水蒸気電解セル１の側面の酸素極３１は、弾性給電端子３２を介して機械的かつ電気的に接触させることができる。この弾性給電端子３２として、例えば、バネ状に加工した白金や銀、耐酸化性金属を用いることができる。また、このバネ状構造の他に、メッシュやフェルト状に加工した前記の材料を用いてもよい。これらの構造により、円筒型水蒸気電解セル１の位置を外側から固定して円筒型水蒸気電解セル１の外側の部材との接触による機械的な衝撃・破損を防ぐと共に、酸素極３１側の電気的な接触を確保することができる。
【００３１】
本実施の形態によれば、水素極２１には容器壁面からシール機能を維持した状態で、また酸素極３１には水素極２１に電気的に接続している容器壁面とは絶縁した別の壁面から給電端子を介して電解電流を流すことにより、簡易な構造で水素と酸素とのガスリークを防止しすることができる。しかも、高温かつ酸化／還元雰囲気の下でセル電極に均一かつ長期間にわたって安定的に電解電流を供給することができる。さらに、組立時及び高温における素材変形等によるセルの損傷を防ぎつつ、高効率でかつ安定的に高温水蒸気の電解を行うことができる。
【００３２】
図２は、本発明の第２の実施の形態の高温水蒸気電解装置の概略構成を示す縦断面図である。
【００３３】
本図に示すように、水蒸気電解装置は、少なくとも１個の円筒型水蒸気電解セル５１と、この円筒型水蒸気電解セル５１を格納する容器４０とを有する。
【００３４】
この円筒型水蒸気電解セル５１は、一端を閉じ、他端を開放した円筒型電解セルより構成される。このセルの内側は酸素極３１より形成されている。このセルの外側は水素極２１より形成されている。この水素極２１と酸素極３１との間には、電子絶縁性および酸素イオン導電性を持つ電解質層４５が介在している。
【００３５】
一方、上記容器４０の下部には、円筒型水蒸気電解セル５１の酸素極３１に酸素雰囲気４７を供給する酸素雰囲気供給室４６が設けられている。この酸素雰囲気供給室４６の酸素雰囲気４７は、酸素雰囲気供給管５０を介して円筒型水蒸気電解セル１に導入される。上記容器４０の中間部には、上記酸素雰囲気供給室４６に隣接して、この酸素極３１おいて生成された酸素を系外に取り出すための生成酸素排出室４８が設けられている。また、上記容器４０の上部には、上記円筒型水蒸気電解セル１の水素極において水蒸気４１から生成された水素４２を取り出すための水素生成室４９が備えられている。上記生成酸素排出室４８と水素生成室４９との間には隔壁６ａが設けられている。
【００３６】
この隔壁６ａと上記円筒型水蒸気電解セル５１ａとは、本図の左側に示すように、構造的および電気的に直接的接合してもよい。また、本図の右側に示すように、円筒型水蒸気電解セル５１ｂと同等の熱膨張率を有する支持管７を介して構造的および電気的に間接的接合してもよい。ただし、いずれの場合も接合部においてもセル内側とセル外側とのガスが相互に漏洩しないこと、円筒型水蒸気電解セル５１の水素極２１と隔壁６ａとが電気的に絶縁されていること、また支持管７を用いるときは、支持管７の内側と外側とは絶縁されていることが必要である。
【００３７】
また、水素生成室４９の少なくとも一部の壁面を、生成酸素排出室４８と水素生成室４９の隔壁６ａと電気的に絶縁するために、絶縁層８が設けられている。この絶縁層８を設けることにより、簡易な反応容器構造により、円筒型水蒸気電解セル１の両極に電解電流を流すことができる。
【００３８】
また、円筒型水蒸気電解セル１の内側の酸素極３１は、弾性給電端子２２を介して、円筒型水蒸気電解セル５１の内部に差し込まれた酸素雰囲気供給管５０と接触している。また、円筒型水蒸気電解セル５１の外側の水素極２１は、弾性給電端子３２を介して、ガイド板１０と接触している。この弾性給電端子２２や弾性給電端子３２は、例えば、バネ状に加工した白金、銀又はニッケル等が用いられる。またバネ状構造の他に、メッシュやフェルト状に加工した上述の材料を用いてもよい。
【００３９】
また、弾性給電端子２２は、円筒型水蒸気電解セル５１の内側の酸素ガスの流れや温度変化に伴う円筒型水蒸気電解セル５１と酸素雰囲気供給管５０との相対的な位置変化を妨げないように、円筒型水蒸気電解セル５１の中心から放射状に隙間を設けてもよい。
【００４０】
また、酸素雰囲気供給管５０を導電性材料とすることにより、円筒型水蒸気電解セル５１の酸素極３１には、隔壁６ａと酸素雰囲気供給管５０との２つの電流供給経路により電気的接触が確保されると共に、円筒型水蒸気電解セル５１の固定が先端部と根元部の２点で行われるため、構造的に安定性を向上することができる。
【００４１】
また、上記酸素雰囲気供給室４６と生成酸素排出室４８との隔壁４４ａへ接続する酸素雰囲気供給管５０の一部分を弾性を有する弾性構造体９に置換することにより、組立時及び高温における素材変形等による円筒型水蒸気電解セル１の損傷を効果的に防止することができる。この弾性構造体９として、ベローズ加工した金属管やらせん状に曲げ加工した金属管等で形成することができる。
【００４２】
さらに、上記絶縁層８で隔壁６ａと絶縁した酸素生成室５の壁面に設けられたガイド板１０により、この円筒型水蒸気電解セル５１の側面を支持することができる。このガイド板１０を設けることにより、上記円筒型水蒸気電解セル５１の側面の水素極２１は、弾性給電端子３２を介して機械的かつ電気的に接触させることができる。この弾性給電端子３２として、例えば、バネ状に加工した白金や銀、耐酸化性金属を用いることができる。また、このバネ状構造の他に、メッシュやフェルト状に加工した前記の材料を用いてもよい。これらの構造により、円筒型水蒸気電解セル１の位置を外側から固定して円筒型水蒸気電解セル５１の外側の部材との接触による機械的な衝撃・破損を防ぐと共に、水素極２１側の電気的な接触を確保することができる。
【００４３】
本実施の形態によれば、酸素極３１には容器壁面からシール機能を維持した状態で、また水素極２１には酸素極３１に電気的に接続している容器壁面とは絶縁した別の壁面から給電端子を介して電解電流を流すことにより、簡易な構造で水素と酸素とのガスリークを防止しすることができる。しかも、高温かつ酸化／還元雰囲気の下でセル電極に均一かつ長期間にわたって安定的に電解電流を供給することができる。さらに、組立時及び高温における素材変形等によるセルの損傷を防ぎつつ、高効率でかつ安定的に高温水蒸気の電解を行うことができる。
【００４４】
さらに、本発明は、上述したような各実施の形態に何ら限定されるものではなく、本発明の各実施例を組み合わせて、本発明の主旨を逸脱しない範囲で種々変形して実施することができる。
【図面の簡単な説明】
【００４５】
【図１】本発明の第１の実施の形態の高温水蒸気電解装置の概略構成を示す縦断面図。
【図２】本発明の第２の実施の形態の高温水蒸気電解装置の概略構成を示す縦断面図。
【図３】従来の高温水蒸気電解装置の概略構成を示す縦断面図。
【図４】図３の電流リード部の概略構造を示す縦断面図。
【符号の説明】
【００４６】
１…円筒型水蒸気電解セル、２…水蒸気供給室、３…水蒸気供給管、４…生成水素排出室、５…酸素生成室、６…生成水素排出室と酸素生成室との隔壁、６ａ…生成酸素排出室と水素生成室との隔壁、７…支持管、８…絶縁層、９…弾性構造体、１０…ガイド板、２１…水素極、２２…弾性給電端子、３１…酸素極、３２…弾性給電端子、４０…容器、４１…水蒸気、４２…水素、４３…酸素、４４…水蒸気供給室と生成水素排出室との隔壁、４４ａ…酸素雰囲気供給室と生成酸素排出室との隔壁、４５…電解質層、４６…酸素雰囲気供給室、４７…酸素雰囲気、４８…生成酸素排出室、４９…水素生成室、５０…酸素雰囲気供給管。
【図１】
0004630837.tif 000002
【図２】
0004630837.tif 000003
【図３】
0004630837.tif 000004
【図４】
0004630837.tif 000005